(57)【要約】      （修正有）【課題】ブリスターパック包装において、包装状態のままで、包装対象品を触ってみたり、実際に動かしたりすることができ、かつ、透明な包装材故に、外部から視認することもでき、購入者の商品選択の利便性を高めることができるようにする。【解決手段】包装対象品Ｗを透明プラスチックシートを成形してなる包装材１の窪み部分１ａに収納し、包装材を台紙２に接着してなり、包装材及び台紙を包装対象品を包装したままの状態で包装対象品を試用可能な構造に構成してなる。【選択図】図１
2006182394.tif 000002
【特許請求の範囲】
【請求項１】
包装対象品を透明プラスチックシートを成形してなる包装材の窪み部分に収納し、該包装材を台紙に接着してなり、上記包装材及び台紙を上記包装対象品を包装したままの状態で該包装対象品を試用可能な構造に構成してなることを特徴とするブリスターパック。
【請求項２】
複数個の包装対象品を透明プラスチックシートを成形してなる包装材の各窪み部分に収納し、該包装材を台紙に接着してなり、上記包装材及び台紙を上記各包装対象品を包装したままの状態で該各包装対象品を試用可能な構造に構成してなることを特徴とするブリスターパック。
【請求項３】
上記包装対象品は基部に指入穴部をもつ一対の刃体を枢軸により枢着してなるはさみであり、上記包装材及び台紙に一方の刃体の指入穴部に対応した開口穴部を形成し、かつ、該包装材に他方の刃体の基部を露呈可能な切欠部を形成すると共に該台紙に他方の刃体の指入穴部に対応した台紙切欠部を形成してなることを特徴とする請求項１又は２記載のブリスターパック。
【発明の詳細な説明】
【技術分野】
【０００１】
本発明は、例えば、はさみ等の家庭日用品等を陳列販売する際に用いられるブリスターパックに関するものである。
【背景技術】
【０００２】
従来、包装対象品を透明なプラスチックシート成形してなる包装材の窪み部分に収納し、該包装材を台紙に接着してなるブリスターパックが知られている。
【特許文献１】特許第３２１６２９５号
【発明の開示】
【発明が解決しようとする課題】
【０００３】
しかしながらこの従来構造の場合、包装対象品は包装材と台紙との間に密封されており、透明な包装材故に、外部から視認することはできるものの、包装対象品を触ってみたり、実際に動かしたりすることができず、購入者の商品選択の利便性を低下しているという不都合を有している。
【課題を解決するための手段】
【０００４】
本発明はこれらの不都合を解決することを目的とするもので、本発明のうちで、請求項１記載の発明は、包装対象品を透明プラスチックシートを成形してなる包装材の窪み部分に収納し、該包装材を台紙に接着してなり、上記包装材及び台紙を上記包装対象品を包装したままの状態で該包装対象品を試用可能な構造に構成してなることを特徴とするブリスターパックにある。
【０００５】
又、請求項２記載の発明は、複数個の包装対象品を透明プラスチックシートを成形してなる包装材の各窪み部分に収納し、該包装材を台紙に接着してなり、上記包装材及び台紙を上記各包装対象品を包装したままの状態で該各包装対象品を試用可能な構造に構成してなることを特徴とするブリスターパックにある。
【０００６】
又、請求項３記載の発明は、上記包装対象品は基部に指入穴部をもつ一対の刃体を枢軸により枢着してなるはさみであり、上記包装材及び台紙に一方の刃体の指入穴部に対応した開口穴部を形成し、かつ、該包装材に他方の刃体の基部を露呈可能な切欠部を形成すると共に該台紙に他方の刃体の指入穴部に対応した台紙切欠部を形成してなることを特徴とするものである。
【発明の効果】
【０００７】
本発明は上述の如く、請求項１記載の発明にあっては、包装対象品を透明なプラスチックシート成形してなる包装材の窪み部分に収納し、この包装材を台紙に接着し、ブリスターパック包装することになり、この際、上記包装材及び台紙を上記包装対象品を包装したままの状態で包装対象品を試用可能な構造に構成しているから、包装状態のままで、包装対象品を触ってみたり、実際に動かしたりすることができ、かつ、透明な包装材故に、外部から視認することもでき、購入者の商品選択の利便性を高めることができる。
【０００８】
又、請求項２記載の発明にあっては、各包装対象品を透明なプラスチックシート成形してなる包装材の窪み部分に収納し、この包装材を台紙に接着し、ブリスターパック包装することになり、この際、上記包装材及び台紙を上記各包装対象品を包装したままの状態で各包装対象品を試用可能な構造に構成しているから、包装状態のままで、包装対象品を触ってみたり、実際に動かしたりすることができ、透明な包装材故に、外部から視認することもでき、購入者の商品選択の利便性を高めることができる。
【０００９】
又、請求項３記載の発明にあっては、上記包装対象品は基部に指入穴部をもつ一対の刃体を枢軸により枢着してなるはさみであり、上記包装材及び台紙に一方の刃体の指入穴部に対応した開口穴部を形成し、かつ、包装材に他方の刃体の基部を露呈可能な切欠部を形成すると共に台紙に他方の刃体の指入穴部に対応した台紙切欠部を形成してなるから、包装状態のままで、包装対象品たるはさみを触ってみたり、実際に動かしたりすることができ、かつ、透明な包装材故に、外部から視認することもでき、購入者の商品選択の利便性を高めることができる。
【発明を実施するための最良の形態】
【００１０】
図１乃至図７は本発明の実施の形態例を示し、図１乃至図５は第一形態例、図６、図７は第二形態例である。
【００１１】
図１乃至図５の第一形態例において、１は包装材であって、この場合、透明なプラスチックシート成形により形成され、包装対象品Ｗ、この場合、基部Ｈ1・Ｈ1に指入穴部Ｈ2・Ｈ2をもつ一対の刃体Ｈ3・Ｈ3を枢軸Ｈ4により枢着してなるはさみＨを収納可能な窪み部分１ａが形成されている。
【００１２】
２は台紙であって、紙やプラスチックにより製作され、包装対象品Ｗを包装材１の窪み部分１ａに収納し、包装対象品Ｗを台紙２に縛紐Ｋにより縛り、包装材１の周縁部Ｆを台紙２に接着することにより包装する構造となっている。
【００１３】
そして、上記包装材１及び台紙２を上記包装対象品Ｗを包装したままの状態で包装対象品Ｗを試用可能な構造に構成している。
【００１４】
この場合、包装材１及び台紙２に一方の刃体Ｈ3の指入穴部Ｈ2に対応した開口穴部１ｂ・２ａを形成し、かつ、包装材１に他方の刃体Ｈ3の基部を突出露呈可能な切欠部１ｃを形成すると共に台紙２に他方の刃体Ｈ3の指入穴部Ｈ2に対応した台紙切欠部２ｂを形成している。
【００１５】
この実施の第一形態例は上記構成であるから、包装対象品Ｗを透明なプラスチックシート成形してなる包装材１の窪み部分１ａに収納し、この包装材１を台紙２に接着し、ブリスターパック包装することになり、この際、上記包装材１及び台紙２を上記包装対象品Ｗを包装したままの状態で包装対象品Ｗを試用可能な構造に構成しているから、図５の如く、包装状態のままで、包装対象品Ｗを触ってみたり、実際に動かしたりすることができ、かつ、透明な包装材故に、外部から視認することもでき、購入者の商品選択の利便性を高めることができる。
【００１６】
又、この場合、上記包装対象品Ｗは基部Ｈ1・Ｈ1に指入穴部Ｈ2・Ｈ2をもつ一対の刃体Ｈ3・Ｈ3を枢軸Ｈ4により枢着してなるはさみであり、上記包装材１及び台紙２に一方の刃体Ｈ3の指入穴部Ｈ2に対応した開口穴部２ａを形成し、かつ、包装材１に他方の刃体Ｈ3の基部を露呈可能な切欠部１ｃを形成すると共に台紙２に他方の刃体Ｈ3の指入穴部Ｈ2に対応した台紙切欠部２ｂを形成してなるから、図５の如く、包装状態のままで、包装対象品Ｗたるはさみを触ってみたり、実際に動かしたりすることができ、かつ、透明な包装材故に、外部から視認することもでき、購入者の商品選択の利便性を高めることができる。
【００１７】
図６、図７の第二形態例は別例構造を示し、この場合、１は包装材であって、この場合、透明なプラスチックシート成形により形成され、複数個、この場合、２個の包装対象品Ｗ・Ｗ、この場合、基部Ｈ1・Ｈ1に指入穴部Ｈ2・Ｈ2をもつ一対の刃体Ｈ3・Ｈ3を枢軸Ｈ4により枢着してなる２個のはさみＨ・Ｈを収納可能な窪み部分１ａ・１ａが形成されている。
【００１８】
２は台紙であって、紙やプラスチックにより製作され、２個の包装対象品Ｗ・Ｗを包装材１の窪み部分１ａ・１ａに収納し、包装材１の周縁部Ｆを台紙２に接着することにより包装する構造となっている。
【００１９】
そして、上記包装材１及び台紙２を上記各包装対象品Ｗ・Ｗを包装したままの状態で包装対象品Ｗ・Ｗを試用可能な構造に構成している。
【００２０】
この場合、包装材１及び台紙２に一方の刃体Ｈ3の指入穴部Ｈ2に対応した開口穴部１ｂ・２ａ・１ｂ・２ａを形成し、かつ、包装材１に他方の刃体Ｈ3の基部を突出露呈可能な切欠部１ｃ・１ｃを形成すると共に台紙２に他方の刃体Ｈ3の指入穴部Ｈ2に対応した台紙切欠部２ｂ・２ｂを形成している。
【００２１】
この実施の第二形態例は上記構成であるから、各包装対象品Ｗを透明なプラスチックシート成形してなる包装材１の窪み部分１ａに収納し、この包装材１を台紙２に接着し、ブリスターパック包装することになり、この際、上記包装材１及び台紙２を上記各包装対象品Ｗ・Ｗを包装したままの状態で各包装対象品Ｗ・Ｗを試用可能な構造に構成しているから、包装状態のままで、包装対象品Ｗ・Ｗを触ってみたり、実際に動かしたりすることができ、透明な包装材故に、外部から視認することもでき、購入者の商品選択の利便性を高めることができる。
【００２２】
尚、本発明は上記実施の形態例に限られるものではなく、包装材１、台紙２の形態、構造、材質等は包装対象品Ｗに応じて適宜変更して設計される。
【００２３】
以上、所期の目的を充分達成することができる。
【図面の簡単な説明】
【００２４】
【図１】本発明の実施の第一形態例の全体正面図である。
【図２】本発明の実施の第一形態例の部分断面図である。
【図３】本発明の実施の第一形態例の分離斜視図である。
【図４】本発明の実施の第一形態例の斜視図である。
【図５】本発明の実施の第一形態例の使用状態図である。
【図６】本発明の実施の第二形態例の全体正面図である。
【図７】本発明の実施の第二形態例の分離斜視図である。
【符号の説明】
【００２５】
Ｗ    包装対象品
Ｈ    はさみ
１    包装材
１ａ    窪み部分
１ｂ    開口穴部
１ｃ    切欠部
２    台紙
２ａ    開口穴部
２ｂ    台紙切欠部
【図１】
2006182394.tif 000003
【図２】
2006182394.tif 000004
【図３】
2006182394.tif 000005
【図４】
2006182394.tif 000006
【図５】
2006182394.tif 000007
【図６】
2006182394.tif 000008
【図７】
2006182394.tif 000009